(57)【要約】      （修正有）【課題】必要量の血液を指先から採取し、正しい臨床検査データを出すことができる指先駆血具を提供する。【解決手段】指先駆血具は、指の中節骨部分に装着可能な締付本体を有し、前記締付本体が、指への装着時に指の中節骨のはら部分を押圧可能な押圧部８を備え、指への装着時に前記押圧部が指の中節骨のはら部分を押圧した状態で維持されるように前記締付本体が構成されていることを特徴とする。【選択図】図２
2015223278.tif 000002
【特許請求の範囲】
【請求項１】
指の中節骨部分に装着可能な締付本体を有し、
前記締付本体が、指への装着時に指の中節骨のはら部分を押圧可能な押圧部を備え、
指への装着時に前記押圧部が指の中節骨のはら部分を押圧した状態で維持されるように前記締付本体が構成されている
ことを特徴とする指先駆血具。
【請求項２】
前記締付本体の押圧部が、中節骨部分のはら部分を押圧するための突起部を備えている
ことを特徴とする請求項１に記載の指先駆血具。
【請求項３】
前記締付本体の押圧部が、中節骨部分の両節に接触する支点部と、前記支点部を支点としてはら部分を押圧するための前記突起部とを備えている
ことを特徴とする請求項２に記載の指先駆血具。
【請求項４】
前記突起部が、前記支点部とは硬度が異なる可塑性材料で形成されている
ことを特徴とする請求項３に記載の指先駆血具。
【請求項５】
前記締付本体が、
指の中節骨のはらの部分と背の部分とを挟み込む一対のアーム部と、
前記アーム部の少なくとも一方を他方に向けて付勢する付勢手段と、
前記一方のアーム部を前記付勢手段の力に抗して他方のアーム部から離す方向に片手で移動させることができるように少なくとも指を係止することができる操作部と
を備え、
前記一対のアーム部の何れか一方に前記押圧部が設けられている
ことを特徴とする請求項１〜４の何れか一項に記載の指先駆血具。
【請求項６】
前記締付本体が、
一つの環体を形成する一対の円弧状のアーム部を有し、
前記一対の円弧状のアーム部が、前記環体の直径を拡大又は縮小することができるように相互に移動可能に連結され、
前記一対の円弧状アーム部を所定の位置で相互に固定する固定手段が設けられ、
前記一対の円弧状アーム部の何れか一方の内側部分に前記押圧部が設けられ、
指に環体を装着した後に、直径を縮小して指を締め付けるように前記アーム部を移動させた後、前記固定手段でアーム部の位置を固定することにより前記アーム部に設けられた押圧部が指の中節骨のはら部分を押圧するように構成されている
ことを特徴とする請求項１〜４の何れか一項に記載の指先駆血具。
【請求項７】
前記締付本体が帯状本体から成り、
帯状本体の内面に押圧部が設けられている
ことを特徴とする請求項１〜４の何れか一項に記載の指先駆血具。
【発明の詳細な説明】
【技術分野】
【０００１】
本発明は、指先穿刺の際に用いることができる指先駆血具に関する。
【背景技術】
【０００２】
近年、POCT（ポイント・オブ・ケア・テスティング）と呼ばれる臨床現場で即時に臨床検査データを活用するための臨床検査が普及し、そのために用いられる機器が普及して利用されている。POCTは、臨床検査の現場での利用はもちろん、糖尿病に代表されるような慢性疾患に罹患した患者の自己の状態管理及び薬剤の投与管理にも利用され、また、ヘルスケアと言われる健康管理目的にも利用範囲は拡大している。さらに、最近では、薬局やコンビニエンスストア等の店舗で健康診断、セルフチェック健診を実施する利用の仕方も普及し始めている。そのような患者自身や健常人と言われるような人が自ら検査機器を使用して検査、測定を実施する場合には、静脈から血液を採取することはできず、指先等にランセットと呼ばれる穿刺血液採取冶具を使用して毛細管血液を採取することが一般的である。
指先穿刺血液の採取のしやすさには毛細血管の太さや血流量も然ることながら、穿刺器具の種類や穿刺方法等で個人間差、手技間差があり、また指先温度や環境温度にも依存する。しかし、個人間差、手技間差、環境に関係なく速やかに、測定に必要な十分量の血液採取を行う必要がある。なぜなら、速やかに採取することができなければ、浸出液(リンパ液)との混和や溶血が起こり得、また、皮膚表面の皮脂成分の混入や汗成分の混入が生じる可能性もあり、さらには、蒸発することもあるため臨床検査データにばらつきを生じる原因となるからである。
このような指先穿刺血液の採取は、従来は、患者の指先の毛細管血液を専用の穿刺針で刺し、自然に流れ出る血液を採取するか、又は指を絞って出血させて採取をしている。
【発明の概要】
【発明が解決しようとする課題】
【０００３】
しかし、上記した従来の指先穿刺方法では、充分な採血量を得ることができない場合があり、検体量不足で再度穿刺しなければならない場合がある。このように複数回穿刺することは患者に対して心身共に負担をかけることになるので好ましくなく、また、臨床現場で即時に臨床検査データを必要としている場合には時間のロスが大きな問題となることがある。
さらに、最も重要な点は、不正確な測定データを出してしまう要因がある事であり、穿刺針で刺した後に自然に血液が流れ出ずに、指を絞って出血させる方法では、浸出液（リンパ液）との混和や溶血、皮膚表面の皮脂成分の混入、汗成分の混入、または蒸発により臨床検査データにばらつきを生じるという問題がある。
本発明は、上記した従来の問題点を解決して、必要量の血液を指先から採取し、正しい臨床検査データを出すことができる指先駆血具を提供することを目的としている。
【課題を解決するための手段】
【０００４】
上記した目的を達成するために、本発明に係る指先駆血具は、指の中節骨部分に装着可能な締付本体を有し、前記締付本体が、指への装着時に指の中節骨のはら部分を押圧可能な押圧部を備え、指への装着時に前記押圧部が指の中節骨のはら部分を押圧した状態で維持されるように前記締付本体が構成されていることを特徴としている。
前記締付本体の押圧部には、中節骨部分のはら部分を押圧するための突起部が設けられ得る。
また、前記締付本体の押圧部は、中節骨部分の両節に接触する支点部と、前記支点部を支点としてはら部分を押圧するための前記突起部とを備え得る。この場合、前記突起部は、前記支点部とは硬度が異なる可塑性材料で形成され得る。
また、前記締付本体は、指の中節骨のはらの部分と背の部分とを挟み込む一対のアーム部と、前記アーム部の少なくとも一方を他方に向けて付勢する付勢手段と、前記一方のアーム部を前記付勢手段の力に抗して他方のアーム部から離す方向に片手で移動させることができるように少なくとも指を係止することができる操作部とを有し得、前記一対のアーム部の何れか一方に前記押圧部が設けられ得る。
さらにまた、前記締付本体は、一つの環体を形成する一対の円弧状のアーム部を有し得、前記一対の円弧状のアーム部は、前記環体の直径を拡大又は縮小することができるように相互に移動可能に連結され、前記一対の円弧状アーム部を所定の位置で相互に固定する固定手段が設けられ得、前記一対の円弧状アーム部の何れか一方の内側部分に前記押圧部が設けられ、指に環体を装着した後に、直径を縮小して指を締め付けるように前記アーム部を移動させた後、前記固定手段でアーム部の位置を固定することにより前記アーム部に設けられた押圧部が指の中節骨のはら部分を押圧するように構成され得る。
また、前記締付本体は帯状本体で構成してもよい。
【発明の効果】
【０００５】
本発明による指先駆血具は、指の中節骨部分に装着可能な締付本体を有し、前記締付本体が、指への装着時に指の中節骨のはら部分を押圧可能な押圧部を備え、指への装着時に前記押圧部が指の中節骨のはら部分を押圧した状態で維持されるように前記締付本体が構成されているので、駆血具を指に装着するだけで、確実に穿刺すべき指先を駆血することが可能になり、穿刺針で刺した後に自然に血液が出血するようになる。これにより指先穿刺であっても、確実に十分な量の採血をすることが可能になり、その結果、複数回穿刺する等の患者に対する心身的負担をなくすことができ、また、臨床現場において即時に臨床検査データを必要としている場合には時間のロスがないという効果を奏する。
また、前記締付本体の押圧部に、中節骨部分のはら部分を押圧するための突起部を設けることで、前記突起部がはら部分を押圧するので、より確実な駆血が可能になる。
さらに、前記締付本体の押圧部に、中節骨部分の両節に接触する支点部と、前記支点部を支点としてはら部分を押圧するための前記突起部とを設けることにより、突起部がより確実にはら部分にあたるようになり、より確実な駆血が可能になる。
また、前記突起部を、前記支点部とは硬度が異なる可塑性材料で形成することができる。特に、前記突起部には硬度の低い弾性材料(50°以下が好ましい)を用いることが好ましく、それにより、指のはらの部分の密着性が高くなるとともに、柔軟性を以て指のはら部分を押圧でき、個人差を有する皮下脂肪量、皮膚硬さおよび太さを吸収して駆血することができるようになる。
さらに、前記締付本体が、指の中節骨のはらの部分と背の部分とを挟み込む一対のアーム部と、前記アーム部の少なくとも一方を他方に向けて付勢する付勢手段と、前記一方のアーム部を前記付勢手段の力に抗して他方のアーム部から離す方向に片手で移動させることができるように少なくとも指を係止することができる操作部とを有し、前記一対のアーム部の何れか一方に前記押圧部を設けることにより、片手でアーム部を開いて締付本体を他方の手の指に装着することが可能になるので、操作が簡単である。
さらにまた、前記締付本体が、一つの環体を形成する一対の円弧状のアーム部を有し得、前記一対の円弧状のアーム部は、前記環体の直径を拡大又は縮小することができるように相互に移動可能に連結され、前記一対の円弧状アーム部を所定の位置で相互に固定する固定手段が設けられ得、前記一対の円弧状アーム部の何れか一方の内側部分に前記押圧部が設けられ、指に環体を装着した後に、直径を縮小して指を締め付けるように前記アーム部を移動させた後、前記固定手段でアーム部の位置を固定することにより前記アーム部に設けられた押圧部が指の中節骨のはら部分を押圧するように構成することで、締付本体を装着しない方の手でアーム部を操作して、締付本体を指に装着することが可能になるので、操作が簡単である。
【図面の簡単な説明】
【０００６】
【図１】本発明に係る指先駆血具の第一実施例の概略側面図である。
【図２】図１におけるＡ−Ａ断面図である。
【図３】押圧部の別の実施例を示す図２に対応する断面図である。
【図４】本発明に係る指先駆血具の第二実施例の概略平面図である。
【図５】図４におけるＢ−Ｂ断面図である。
【図６】本発明に係る指先駆血具の第三実施例の概略側面図である。
【図７】図６に示した指先駆血具を指で開いている状態を示す図である。
【発明を実施するための形態】
【０００７】
以下、添付図面に示した実施例を参照しながら本発明に係る指先駆血具の実施の形態を説明していく。
図１は本発明に係る指先駆血具の概略側面図を示している。
図中、符号１は指先駆血具を示しており、この指先駆血具１は、基部２と、基部２に固定された支柱３とを有する。支柱３には、下向き円弧状の固定アーム４が固定されている。また、支柱３における前記固体アーム４の下方には上向き円弧状の加圧アーム５が、支柱３に沿って上下に摺動可能に設けられている。この加圧アーム５は、付勢手段を構成するバネ６によって固定アーム４側に向けて付勢されている。前記加圧アーム５には、指が係止可能な操作部７が設けられており、使用者が指で、バネ６の力に抗して操作部７を下方に押し下げることで加圧アーム５を下方に下げて固定アーム４と加圧アーム５との間の間隔を広げることができるように構成されている。
前記加圧アーム５の内側には、固定アーム４と加圧アーム５とで使用者の指を挟んだ時に指の中節骨のはら部分を押圧可能な押圧部８が形成されている。
この押圧部８は、図２に示すように、中節骨部分の両節に接触する支点部９，９と、前記支点部９，９より高い突起部１０とを有し、固定アーム４と加圧アーム５とで使用者の指を挟んだ時に、前記支点部９を支点として突起部１０で中節骨のはら部分を押圧するように構成されている。
駆血すべき位置ははらの部分、特に中央部付近が適切であることから、その部分を最も強く圧迫したい。その位置は指のふしとふしの間の中央部に位置することから、ふしの部分の押し当てに対して中央部にも突起部を設けるとともに、ふしの部分への押し当ての高さよりも中央部の教えての高さを高くしておくことが好ましい。
【０００８】
図２に示した実施例では、支点部９，９と突起部１０とは一体成型されているが、押圧部８の構造は本実施例に限定されることなく、図３に示すように、例えば、前記支点部９，９と前記突起部１０とは硬度が異なる可塑性材料で構成され得る。
指のはらの部分は平面ではなく凸形状しており、指のサイズはヒトそれぞればらばらであることは周知のとおりである。具体的には、突起部９の方が支点部８より硬度が低く、適正に圧迫、駆血するためには、柔軟性のある硬度が必要であり、好ましくは硬度40度以下である必要がある。このように構成することで駆血すべき部分を指の形、大きさに依存することなく駆血する効果を奏することができる。
【０００９】
次に、図４及び図５を参照して、本発明に係る指先駆血具の第二の実施例について説明をしていく。
図中、符号２０は指先駆血具を示しており、この指先駆血具２０は、帯状バンド２１と、バンド２１の一端に設けられたリング２２とを有する。前記バンド２１の裏面は、フック状に起毛された部分２１ａと、ループ状に密集して起毛された部分２１ｂとを有し、これらの部分２１ａ及び２１ｂで面ファスナを構成している。
バンド２１の表面には、押圧部２３が設けられている。この押圧部２３は、上方に突出した一対の支点部２４と、前記一対の支点部２４の間に位置し、前記支点部２４より高い突起部２５とを有する。前記突起部２５は、前記支点部２４とは別体に構成されており、好ましくは、支点部２４より硬度が低い材料で形成され得る。
上記したように構成された指先駆血具２０は、前記押圧部２３の突起部２５が、中節骨部分のはら部分に当たるように位置決めした状態で、バンド２１の一端を他端に設けられたリング２２に挿入して引き戻し、フック状に起毛された部分２１ａをループ状に密集して起毛された部分２１ｂに押し当てて止める。
これにより、一対の支点部２４が中節骨部分の両節に接触し、支点部２４を支点としてはら部分を突起部２５で効果的に押圧することが可能になる。
【００１０】
次に、図６及び図７を参照して本発明に係る指先駆血具の第三の実施例について説明をしていく。
図面に示すように、この指先駆血具３０は、一対のアーム３１及び３２の長手方向中央部分を軸３３で回動可能に連結すると共に、軸３３にねじりばね３４を設けて、該ねじりばね３４で、一対のアーム３１及び３２の一方の端部を、相互に離れる方向に付勢してなる。
アーム３１又は３２の何れか一方（図示実施例ではアーム３１）の他端の内側には、押圧部３５が一体に形成されている。押圧部３５は、上方に突出した一対の支点部３６と、前記一対の支点部３６の間に位置し、前記支点部３６より高い突起部３７とを有する。
上記したように構成された指先駆血具３０は、図７に示すように使用者が指でアーム３１及び３２の一端を、ばね３４の力に抗して相互に接近する方向に押圧することで、アーム３１及び３２に他端を開き、その状態で、前記押圧部３５の突起部３７が中節骨部分のはら部分に当たるようにアーム３１及び３２の他方の端部間で指を挟むことにより、押圧部３４が中節骨部分のはら部分を効果的に押圧することが可能になる。
【００１１】
上記した実施例では、三種類の締付本体の構造を例に挙げて説明をしたが、締付本体の構造は本実施例に限定されることなく任意の構造でよく、例えば、一つの環体を形成する一対の円弧状のアーム部を設け、前記一対の円弧状のアーム部を、前記環体の直径を拡大又は縮小することができるように相互に移動可能に連結し、前記一対の円弧状アーム部を所定の位置で相互に固定する固定手段を設け、前記一対の円弧状アーム部の何れか一方の内側部分に押圧部を設けて、指に環体を装着した後に、直径を縮小して指を締め付けるように前記アーム部を移動させた後、前記固定手段でアーム部の位置を固定することにより前記アーム部に設けられた押圧部が指の中節骨のはら部分を押圧するように構成され得る。
【符号の説明】
【００１２】
１  指先駆血具
２  基部
３  支柱
４  固定アーム
５  加圧アーム
６  バネ
７  操作部
８  押圧部
９  支点部
１０  突起部
２０  指先駆血具
２１  帯状バンド
２１ａ  フック状に起毛された部分
２１ｂ  ループ状に密集して起毛された部分
２２  リング
２３  押圧部
２４  支点部
２５  突起部
３０  指先駆血具
３１  アーム
３２  アーム
３３  軸
３４  ばね
３５  押圧部
３６  支点部
３７  突起部
【図１】
2015223278.tif 000003
【図２】
2015223278.tif 000004
【図３】
2015223278.tif 000005
【図４】
2015223278.tif 000006
【図５】
2015223278.tif 000007
【図６】
2015223278.tif 000008
【図７】
2015223278.tif 000009